(57)【要約】【課題】本発明の目的は、チューブ容器にネジ込み式に装着されるチューブ容器用キャップの紛失を防止すると共にチューブ容器使用時の作業性を阻害することがないチューブ容器用キャップを提供するものである。【解決手段】本発明のチューブ容器用キャップは、チューブ容器にネジ込み式に装着されるチューブ容器用キャップにおいて、キャップが、紐またはチェーンと接続可能な接続用部材を備えてなることを特徴とするものである。【選択図】図１
2007314209.tif 000002
【特許請求の範囲】
【請求項１】
チューブ容器にネジ込み式に装着されるチューブ容器用キャップにおいて、キャップが、紐またはチェーンと接続可能な接続用部材を備えてなることを特徴とするチューブ容器用キャップ。
【請求項２】
キャップが、接続用部材と共に一体成形されている、請求項１記載のチューブ容器用キャップ。
【請求項３】
キャップが、キャップ本体と接続用部材とから構成されている、請求項１記載のチューブ容器用キャップ。
【発明の詳細な説明】
【技術分野】
【０００１】
本発明は、接着剤等を充填したチューブ容器用キャップに関するものである。
【背景技術】
【０００２】
紫外線硬化型樹脂のような接着剤等を釣り具部材の接着等の用途としてフィールド（屋外）で用いられることも多い。また、フライフィッシング等においては、毛鉤に浮力を付与するために、ペースト状の所謂フロータントが使用されている。前記紫外線硬化型樹脂やフロータントは通常チューブ容器に充填され、ネジ込み式のキャップにより密閉されている。しかしながら、使用時には当然のことながらキャップを取り外す必要があるが、キャップはチューブ容器本体に比べて小さく、屋外でキャップを落としてしまうとなかなか見つからず、紛失してしまうといった問題点があった。
【０００３】
これまで、紫外線硬化型樹脂やフロータント等を充填したチューブ容器を使用する場合、紐またはチェーン等を接続したワニ口クリップでチューブ容器本体を固定したり、チューブ容器本体の底部の接合部位や折り返し部位を削孔して得られた穴に紐やチェーン等を接続したり、紐またはチェーンを接続可能な接続手段を備えるマジックテープ（登録商標）をチューブ容器本体に固定し、紐またはチェーンの他端をフィッシングベスト等結び付ける等の方法によりチューブ容器本体を保持することが通常行われている。
【発明の開示】
【発明が解決しようとする課題】
【０００４】
しかしながら、上述のような方策では、キャップの紛失を防止することはできず、また、紫外線硬化型樹脂やフロータント等を塗布する際に、チューブ容器本体に繋がれた紐またはチェーン等が作業の妨げとなり、また、キャップ紛失を防止することもできなかった。
【０００５】
従って、本発明の目的は、チューブ容器にネジ込み式に装着されるチューブ容器用キャップの紛失を防止すると共にチューブ容器使用時の作業性を阻害することがないチューブ容器用キャップを提供するものである。
【課題を解決するための手段】
【０００６】
即ち、本発明は、チューブ容器にネジ込み式に装着されるチューブ容器用キャップにおいて、キャップが、紐またはチェーンと接続可能な接続用部材を備えてなることを特徴とするチューブ容器用キャップにある。
【０００７】
また、本発明のチューブ容器用キャップは、キャップが、接続用部材と共に一体成形されていることを特徴とする。
【０００８】
更に、本発明のチューブ容器用キャップは、キャップが、キャップ本体と接続用部材とから構成されていることを特徴とする。
【発明の効果】
【０００９】
本発明によれば、チューブ容器用キャップに紐またはチェーンと接続可能な接続用部材を設置し、この設置用部材に紐またはチェーン等を接続できる構造としたことによりキャップの紛失を防止することができると共にチューブ容器使用時に、チューブ容器自体には紐またはチェーン等が接続されていないためにチューブ容器の作業性を阻害することがないチューブ容器用キャップを提供することができるという効果を奏する。
【発明を実施するための最良の形態】
【００１０】
本発明のチューブ容器用キャップを構成するキャップの材質は、特に限定されるものではなく、例えば各種合成樹脂から構成することができる。本発明においては、キャップに紐またはチェーンと接続可能な接続用部材を設置し、この設置用部材に紐またはチェーン等を接続できる構造としたものである。ここで、接続用部材は、キャップ本体と共に一体成形により形成することができる。また、別法として、キャップは、キャップ本体と、別個に作製された接続用部材とから構成し、キャップ本体に接続用部材をビス止めする等の構成とすることもできる。
【実施例】
【００１１】
以下、実施例により本発明のチューブ容器用キャップを更に説明する。
実施例１
図１は、本発明のチューブ容器用キャップを合成樹脂の一体成形により形成した場合の断面図である。キャップ本体（１）の端部には、接続用部材（２）が一体成形されている。
なお、この実施態様においては、接続用部材（２）としてＵ字形状のものを示したが、接続用部材（２）の形状は、これに限定されるものではなく、接続用部材（２）に紐またはチェーン等を接続することができ、且つキャップ本体（１）と一体成形することができる形状であれば特に限定されるものではない。
【００１２】
実施例２
図２は、キャップ本体（１）の端部に設置される接続用部材（２）が金属製の複数個の部材より構成される場合の断面図である。この実施態様において、キャップ本体の端部に取り付けられる接続用部材（２）は、金属製の湾曲形状部材（３）を金属製円板より構成される支持板（４）に取り付けた構成を有するものである。この接続用部材（２）は、キャップ本体（１）の内部側から金属製のボルト（５）でネジ止めすることにより接続用部材（２）をキャップ本体（１）の端部に取り付けた構成となっている。
なお、この実施態様においては、湾曲形状部材（３）としてＵ字形状のものを示したが、湾曲形状部材（３）の形状は、これに限定されるものではなく、湾曲形状部材（３）に紐またはチェーン等を接続することができる形状であれば特に限定されるものではない。
また、支持板（４）としては、金属製円板を用いたが、キャップ本体（１）端部の断面形状に合わせて種々の形状のものを用いることができる。
なお、湾曲形状部材（３）、支持板（４）並びにボルト（５）の材質は、金属に限らず、合成樹脂等から構成することもできる。
【００１３】
実施例３
図３もまたキャップ本体（１）の端部に設置される接続用部材（２）が金属製の複数個の部材より構成される場合の断面図である。この実施態様において、キャップ本体の端部に取り付けられる接続用部材（２）は、金属製の丸棒（６）に紐またはチェーン等が接続可能な貫通孔（７）を削孔した構成のものであり、この接続用部材（２）を、キャップ本体（１）の内部側から金属製のボルト（５）でネジ止めすることにより接続用部材（２）をキャップ本体（１）の端部に取り付けた構成となっている。
なお、この実施態様においては、丸棒（６）の直径方向と平行に貫通孔（７）を削孔したが、貫通孔（７）の位置はこれに限定されるものではなく、紐またはチェーン等が接続可能な位置であれば特に限定されるものではない。また、丸棒（６）並びにボルト（５）の材質は、金属に限らず、合成樹脂等から構成することもできる。
【産業上の利用可能性】
【００１４】
本発明のチューブ容器用キャップは、屋外で使用することを意図した内容物を充填するチューブ容器に好適に使用することができる。
【図面の簡単な説明】
【００１５】
【図１】本発明の１実施態様を示す断面図である。
【図２】本発明の他の実施態様を示す断面図である。
【図３】本発明の更に他の実施態様を示す断面図である。
【符号の説明】
【００１６】
１  キャップ本体
２  接続用部材
３  湾曲形状部材
４  支持板
５  ボルト
６  丸棒
７  貫通孔
【図１】
2007314209.tif 000003
【図２】
2007314209.tif 000004
【図３】
2007314209.tif 000005